(57)【要約】【課題】灰皿から外部に導出する配線が邪魔とならず、かつ断線するのを防止し得る、前後方向の軸心回りに回動可能な灰皿を備えた遊技機を提供する。【解決手段】下セット板１９の前面側に、灰皿２１が配設される。灰皿２１は、吸殻を受ける凹状の灰受け部３５を備え、支持手段６２を介して下セット板１９に対して前後方向の軸心回りに回動可能に取付けられる。灰皿２１には、遊技者が接触可能な接触部材５４と、支持手段６２の回動中心に形成された挿通孔５０ａとが設けられる。接触部材５４と電気的に接続された接触検出手段５５から導出する配線５７が、灰皿内部から挿通孔５０ａに挿通されて下セット板１９側の中継基板に接続される。【選択図】図６
0003104164.tif 000002
【実用新案登録請求の範囲】
【請求項１】
機枠体の前面側に灰皿を備える遊技機において、
前記灰皿は、吸殻を受ける凹状の灰受け部を備え、支持手段を介して前記機枠体に対して前後方向の軸心回りに回動可能に取付けられると共に、
該灰皿には、遊技者が接触可能な接触部と、前記支持手段の回動中心に形成された挿通孔とが設けられ、
前記接触部に導通する配線が、灰皿内部から前記挿通孔に挿通されて機枠体側の接続部に接続されるよう構成した
ことを特徴とする遊技機。
【請求項２】
機枠体の前面側に灰皿を備える遊技機において、
前記灰皿の本体は、吸殻を受ける凹状の灰受け部と、該灰受け部の底部外側を被覆するカバー部と、前記機枠体に取付け可能であって、該機枠体に対して前後方向の軸心回りに回動可能な支持手段とを有し、
前記支持手段の回動中心に挿通孔が形成され、
前記本体に、遊技者が接触可能な接触部が配置されると共に、該接触部への接触を検出する接触検出手段が、前記灰受け部とカバー部とにより内部画成される収納室に収納され、
前記接触検出手段に導通する配線が、灰皿内部から前記挿通孔に挿通されて機枠体側の接続部に接続されるよう構成した
ことを特徴とする遊技機。
【請求項３】
前記配線における灰皿内部から導出する端部には、前記機枠体側の接続部に着脱自在に接続される被接続部が設けられ、前記挿通孔は、前記配線および被接続部の挿通を許容する寸法に設定されている請求項１または２記載の遊技機。
【請求項４】
前記支持手段は、円筒状の支持部と、該支持部の内部に配設されて相対的に回動可能な支軸部とで構成され、
前記支軸部における機枠体側の端部中央に前記挿通孔が設けられると共に、外周縁には当接部が周方向の所定範囲に亘って設けられ、
前記支持部の内周面に、前記当接部に当接可能な突起部が設けられ、
前記灰皿の本体を回動させた際に、前記支持部と支軸部とが相対的に回動して前記突起部が前記当接部に当接することで、該本体の回動範囲を規制するようにした請求項１〜３の何れかに記載の遊技機。
【考案の詳細な説明】
【技術分野】
【０００１】
この考案は、機枠体の前面側に、灰皿を回動自在に取付けた遊技機に関するものである。
【背景技術】
【０００２】
従来より、パチンコ遊技機やパチスロ遊技機等に代表される遊技機の前面側には、煙草の吸殻や灰を入れるための灰皿が設けられている。そしてこの灰皿を、前後方向に延在する支持軸を中心として回転することで、吸殻や灰を受け入れる使用位置と、吸殻や灰を受け入れない不使用位置とに選択して固定し得るようようにしたものが提案されている(例えば、特許文献１参照)。また特許文献１に開示の灰皿は、使用位置から不使用位置への回動が、遊技者とは反対側に向けて行なわれるよう構成されており、灰皿から吸殻や灰を廃棄するべく前記方向に回動したときに、該吸殻や灰が遊技者側に飛散するのを防ぐようになっている。すなわち、左右方向の軸心回りに灰皿を回転(前後方向の回転)して吸殻や灰を廃棄する場合には、該吸殻や灰が遊技者側に飛散するおそれがあるため、灰皿を回動自在に構成する場合は、特許文献１のように前後方向の軸心回りに回転(左右方向の回転)させる方が好ましい。
【０００３】
また灰皿に、遊技機の前面側に設けられて遊技球を発射操作するための発射ハンドルが備える接触配線部と同等に機能する第２の接触配線部を設けるものもある(例えば、特許文献２参照)。すなわち特許文献２では、発射ハンドルの接触配線部への遊技者の把持(接触)が検出できない場合を想定し、灰皿における第２の接触配線部で遊技者の接触を検出して、打球発射装置の発射が可能となるよう構成してある。
【０００４】
このように、灰皿に、煙草の吸殻や灰を入れると云う本来の機能の他に、新たな機能を加えることで、該灰皿に付加価値を与えると云う技術が従来からあった。
【特許文献１】特開２００３−３２０１３５号公報
【特許文献２】特開２００２−１５９６４５号公報
【考案の開示】
【考案が解決しようとする課題】
【０００５】
ここで、特許文献２の灰皿を、前後方向に延在する支持軸を中心として回動可能な構成とすれば、特許文献１の灰皿と同様の効果が得られる。しかしながら、特許文献２の灰皿は、第２の接触配線部に導通する配線が、灰皿の裏側に導出されて発射ハンドルの接触配線部が接続される接触検出回路に接続されているため、該配線が邪魔となって支持軸を中心に回転する構成を採用することは困難であった。なお、仮に回転させようとした場合は、前記配線がねじれて断線するおそれがある。すなわち、灰皿から配線が外部に導出する構成においては、前後方向の軸心回りに灰皿を回転させる構成を採用するのに不都合を生じていた。
【０００６】
すなわち本考案は、前述した従来の技術に内在している前記課題に鑑み、これを好適に解決するべく提案されたものであって、灰皿から配線が外部に導出する構成において、該配線が邪魔とならず、かつ断線するのを防止し得る、前後方向の軸心回りに回動可能な灰皿を備えた遊技機を提供することを目的とする。
【課題を解決するための手段】
【０００７】
前記課題を克服し、所期の目的を好適に達成するため、本考案に係る遊技機は、
機枠体(19)の前面側に灰皿(21)を備える遊技機において、
前記灰皿(21)は、吸殻を受ける凹状の灰受け部(35)を備え、支持手段(62)を介して前記機枠体(19)に対して前後方向の軸心回りに回動可能に取付けられると共に、
該灰皿(21)には、遊技者が接触可能な接触部(54)と、前記支持手段(62)の回動中心に形成された挿通孔(50a)とが設けられ、
前記接触部(54)に導通する配線(57)が、灰皿(21)内部から前記挿通孔(50a)に挿通されて機枠体(19)側の接続部(58)に接続されるよう構成したことを特徴とする。
【０００８】
前記課題を克服し、所期の目的を好適に達成するため、本願の別の考案に係る遊技機は、
機枠体(19)の前面側に灰皿(21)を備える遊技機において、
前記灰皿(21)の本体(34)は、吸殻を受ける凹状の灰受け部(35)と、該灰受け部(35)の底部外側を被覆するカバー部(37a)と、前記機枠体(19)に取付け可能であって、該機枠体(19)に対して前後方向の軸心回りに回動可能な支持手段(62)とを有し、
前記支持手段(62)の回動中心に挿通孔(50a)が形成され、
前記本体(34)に、遊技者が接触可能な接触部(54)が配置されると共に、該接触部(54)への接触を検出する接触検出手段(55)が、前記灰受け部(35)とカバー部(37a)とにより内部画成される収納室(39)に収納され、
前記接触検出手段(55)に導通する配線(57)が、灰皿(21)内部から前記挿通孔(50a)に挿通されて機枠体(19)側の接続部(58)に接続されるよう構成したことを特徴とする。
【０００９】
また、前記配線(57)における灰皿(21)内部から導出する端部には、前記機枠体(19)側の接続部(58)に着脱自在に接続される被接続部(57a)が設けられ、前記挿通孔(50a)は、前記配線(57)および被接続部(57a)の挿通を許容する寸法に設定してもよい。
【００１０】
更に、前記支持手段(62)は、円筒状の支持部(38)と、該支持部(38)の内部に配設されて相対的に回動可能な支軸部(48)とで構成され、
前記支軸部(48)における機枠体(19)側の端部中央に前記挿通孔(50a)が設けられると共に、外周縁には当接部(49d)が周方向の所定範囲に亘って設けられ、
前記支持部(38)の内周面に、前記当接部(49d)に当接可能な突起部(47c)が設けられ、
前記灰皿(21)の本体(34)を回動させた際に、前記支持部(38)と支軸部(48)とが相対的に回動して前記突起部(47c)が前記当接部(49d)に当接することで、該本体(34)の回動範囲を規制するようにしてもよい。
【考案の効果】
【００１１】
請求項１に係る遊技機によれば、灰皿を、支持手段を介して機枠体に対して前後方向の軸心回りに回動可能に構成したから、灰受け部を上向きとした使用状態と、下向きとした非使用状態とを選択することが可能となる。また支持手段の回動中心に、接触部に導通する配線が挿通される挿通孔を形成したから、灰皿を回動した際に、前記通孔に挿通されている配線が絡まったり断線するのを抑制することができる。
【００１２】
請求項２に係る遊技機によれば、請求項１の遊技機が奏する作用効果に加えて、灰皿に接触検出手段を組込むよう構成したから、用途に応じて用いられる夫々の制御基板に接触検出回路を設けることなく、灰皿で検出された検出信号を用途に応じて簡単に利用することができる。従って、接触検出手段からの検出信号を新たな用途に使用する場合において、対応する制御基板を設計する際の手間とコストを低減し得る利点がある。
【００１３】
請求項３に係る遊技機によれば、灰皿に配設した接触検出手段の配線は、被接続部を介して機枠体側の接続部に着脱自在に接続されるよう構成してあるから、該被接続部を機枠体側の接続部から取外した状態で、当該灰皿をユニット化して単独で取扱うことができる。
【００１４】
請求項４に係る遊技機によれば、前記支持手段を構成する支軸部および支持部に、灰皿の回動範囲を規制する当接部および突起部を設けたから、該灰皿の回動範囲を一定範囲に限定することができ、前記配線のよじれ等を制限して該配線の断線を確実に防止し得る。
【考案を実施するための最良の形態】
【００１５】
次に、本考案に係る遊技機につき、好適な実施例を挙げて、添付図面を参照しながら、以下詳細に説明する。なお実施例では、遊技機としてパチンコ球を遊技媒体として使用する一般的なパチンコ機を例にして説明する。また、以下の説明において前・後および左・右とは、特に断りのない限り、図１に示すようにパチンコ機１０を前側から見た場合において指称するものとする。
【実施例】
【００１６】
(パチンコ機について)
先ず実施例に係るパチンコ機１０の概略構成について、図１を参照して説明する。パチンコ機１０は、外郭をなす外枠１１の開口前面側に対して中枠１２が、パチンコ機１０の左側に位置する連結支持手段１３、および右側に位置する施錠手段１４を利用して着脱および開放可能に組み付けられている。また、前記中枠１２には、所要の遊技領域２３ａを構成した遊技盤２３(後述)が着脱交換可能に取付けられると共に、該中枠１２の前面側に、遊技盤２３を透視保護するガラス板を組み付けた前枠１５と、パチンコ球を貯留する上球皿１６を一体的に備えた上セット板１７とを横開き形態で開閉可能に組み付けてある。更に中枠１２の下部には、上球皿１６から溢れたパチンコ球を貯留し得る下球皿１８が左右方向の略中央位置に一体的に形成された機枠体としての下セット板１９が配設される。この下セット板１９における下球皿１８の右側に、遊技者の操作に応じて図示しない打球発射装置を駆動して、前記上球皿１６に貯留したパチンコ球を前記遊技領域２３ａに向けて発射させるハンドルユニット２０が配設されると共に、該下球皿１８の左側には、吸殻等を受ける灰皿２１を配置してある。前記中枠１２の下縁部を支持する前記外枠１１の下枠部１１ａには、左右方向に離間する位置に一対のスピーカ２２,２２が配置されている。
【００１７】
前記遊技盤２３は、前記中枠１２の上方位置に前後に開口するよう開設された遊技盤保持部(図示せず)に保持される。そして、図１に示すように、前記遊技盤２３の前面側に、略円形状に湾曲形成したレール２３ｂにより前記遊技領域２３ａが画成されて、該遊技領域２３ａの上方位置に、遊技盤２３の裏側に配設される図柄表示装置２４が臨む大型の装飾部品２５が配設されている。また、前記遊技領域２３ａにおける前記装飾部品２５の下方位置には、前記図柄表示装置２４での遊技演出の結果により開放する大型電動式の入賞装置２６を配設してある。更に、前記遊技領域２３ａの所要位置には、パチンコ球の流下方向を任意に変向する案内車２７,２７や、図柄表示装置２４での遊技演出に応じて照射パターンを変更して発光演出を行なう電飾装置２８,２８等が配設されている。
【００１８】
前記中枠１２の裏側には、該中枠１２の外郭形状に略整合する矩形状に成形された機構セット盤(図示せず)が配設されており、該機構セット盤には、主制御基板２９、図柄制御基板３０、音声制御基板３１、発光制御基板３２等の各種の制御基板が設置されている(図１１参照)。そして、パチンコ機１０を全体的に制御する主制御基板２９に、該主制御基板２９の制御に基づいて前記図柄表示装置２４での表示内容を制御する図柄制御基板３０、該主制御装置２９の制御に基づいて前記電飾装置２８,２８の発光を制御する発光制御基板３２、およびスピーカ２２,２２からの音の出力を制御する音声制御基板３１の夫々が、配線を介して接続されている。
【００１９】
(灰皿について)
前記下セット板１９の正面左側には、図３に示す如く、前側に開放する円形状の取付凹部３３が凹設され、該凹部３３に前記灰皿２１が着脱および回動可能に取付けられるよう構成される。この灰皿２１の本体３４(以後、灰皿本体と称す)は、図４および図５に示す如く、煙草の吸殻を受ける凹状の灰受け部３５が形成された灰受け部材３６と、該灰受け部材３６の底部外側を被覆するカバー部３７ａが形成された第１カバー部材(カバー部材)３７と、前記下セット板１９に取付け可能な支持手段６２とから基本的に構成され、灰受け部材３６(灰受け部３５)と第１カバー部材３７(カバー部３７ａ)とにより内部画成される収納室３９に、後述する接触検出手段５５が収納されるようになっている。
【００２０】
(灰受け部材について)
前記灰受け部材３６は、略半円形状の底壁３６ａと、該底壁３６ａにおける円弧状の周縁部から立上がる前壁３６ｂと、底壁３６ａにおける直線状の周縁部から立上がる後壁３６ｃとから構成され、これら壁３６ａ,３６ｂ,３６ｃにより図２において上方に開放する凹状の灰受け部３５が形成される。なお、後壁３６ｃは、前壁３６ｂの上端より上方に延出する部分が半円形状に形成されると共に、その外周縁には、後述する第２カバー部材４６の外周縁に係合する後係合部３６ｅが形成されている。また前壁３６ｂの上端には、煙草を保持可能な保持部３６ｄが凹設されると共に、該上端縁には前記第１カバー部材４６におけるカバー部３７ａの外周縁に係合する前係合部３６ｆが形成してある(図８参照)。前記底壁３６ａ(灰受け部３５の底部)における後側の左右幅方向の略中央に、前記後壁３６ｃに沿って上方(収納室３９とは反対側)に向けて突出する凸状部としての火消し部４０が突設されている。この火消し部４０は前記収納室３９側に開放すると共に、該火消し部４０の内部に、熱遮断部としての空間部Ｓが画成されて、該空間部Ｓが収納室３９と連通するよう構成される。なお空間部Ｓは、収納室３９に対しては、該収納室３９から上側に離間するよう凹設されている。前記火消し部４０は矩形状を呈すると共に、収納室３９側の開口寸法が、後述する接触検出手段５５の外形寸法より大きく設定されて(図６,図８参照)、該接触検出手段５５への灰受け部材３６からの熱が確実に伝わらないようにしてある。
【００２１】
前記底壁３６ａの収納室３９側に臨む外底面には、図８に示す如く、前記火消し部４０を挟む左右両側に、ネジ孔を形成したボス４１が夫々突設され、該ボス４１を介して前記第１カバー部材３７が着脱自在にネジ止め固定されるよう構成される。なお、灰受け部材３６は、例えばフェノール樹脂やメラミン樹脂、その他の耐熱性を有する樹脂材料で形成されている。
【００２２】
(第１カバー部材について)
前記灰皿本体３４を構成する第１カバー部材３７は、図６に示す如く、前記灰受け部材３６における灰受け部３５の底部をなす底壁３６ａおよび前壁３６ｂを外側から被覆するカバー部３７ａと、該カバー部３７ａの後端縁から後方に延出する延出部３７ｂとから、上方に開放する略半球形状に形成されている。このカバー部３７ａにおける底部には、所定量だけ切欠かれた略水平な取付面４２が形成され(図７参照)、該取付面４２の外側に、後述する接触部材５４が着脱自在に取付けられるよう構成される。この取付面４２には、左右方向に離間してネジ用通孔４２ａが夫々穿設されており、図８に示す如く、カバー部３７ａの上端縁に前記灰受け部材３６における前壁３６ｂの前記前係合部３６ｆを係合したもとで、各ネジ用通孔４２ａに外側から挿通したネジ４３を、灰受け部材３６における対応するボス４１のネジ孔に螺挿することで、当該第１カバー部材３７が灰受け部材３６に位置決め固定される。そして、第１カバー部材３７を灰受け部材３６に固定した状態で、灰受け部材３６の前記底壁３６ａ(灰受け部３５の底部外側)とカバー部３７ａとの間に、所要寸法の前記収納室３９が画成されるよう構成される。また取付面４２には、両ネジ用通孔４２ａ,４２ａの間で前記底壁３６ａに設けた火消し部４０に上下で対応する位置に、前記収納室３９に連通する挿入口４２ｂが開設され、該挿入口４２ｂから後述する接触検出手段５５が収納室３９内に収納されるようになっている。
【００２３】
(支持手段について)
前記第１カバー部材３７の延出部３７ｂには、図７または図９に示す如く、上方に開放する半円筒状の第１支持筒部４４が一体的に形成されると共に、該第１支持筒部４４を挟む左右両側の延出部内側に、上方に開口する位置決め孔４５ａが形成されたボス４５が夫々設けられている。第１カバー部材３７の延出部３７ｂには、本体４６ａが延出部３７ｂと略対称形状に形成された第２カバー部材４６が着脱自在に配設される。この第２カバー部材４６には、下方に開放して第１支持筒部４４と対応する半円筒状の第２支持筒部４７が形成されると共に、該第２支持筒部４７を挟む左右両側にピン(図示せず)が夫々開放側に突出するよう形成されている。前記第１カバー部材３７に対して第２カバー部材４６は、前記延出部３７ｂおよび第１支持筒部４４の開放端と、第２カバー部材４６の本体４６ａおよび第２支持筒部４７の開放端とを対向当接すると共に、各ピンを対応する位置決め孔４５ａに夫々嵌挿することで取付けられ、この状態で両支持筒部４４,４７により円筒状の支持部３８が構成される(図４,図９参照)。そして、延出部３７ｂおよび本体４６ａから後方に延出する支持部３８が、前記下セット板１９の取付凹部３３に対して前側から回動および前後動可能に嵌合されるようになっている。なお、第１カバー部材３７に取付けられた第２カバー部材４６により、前記灰受け部材３６における後壁３６ｃの上部側が外側から被覆されると共に、その外周端に後壁３６ｃの後係合部３６ｅが係合して位置決めされる。
【００２４】
前記両支持筒部４４,４７の後端部には、図４,図５および図６に示す如く、内側に延出する壁部４４ａ,４７ａが形成され、両壁部４４ａ,４７ａの対向部に形成された半円状の切欠部を合わせることにより、前後方向に連通する通孔３８ａが画成される。また両支持筒部４４,４７の内部には、支軸部材(支軸部)４８が、前後動および回動可能に配設されている。この支軸部材４８は、図２,図６および図７に示す如く、両支持筒部(支持部３８)４４,４７内を摺動可能な直径に設定されて前方に開放する大径円筒部４９と、該円筒部４９の後端壁４９ａに同軸的に突設されて、前記通孔３８ａから後方へ出没可能な小径軸部５０とから基本的に構成される。小径軸部５０における下セット板１９側に臨む後端(端部)の中央(支持手段６２の回動中心)には、後述する接触検出手段５５から導出する配線５７およびこれの端部に接続されたコネクタ(被接続部)５７ａの挿通を許容する寸法の挿通孔５０ａが穿設されると共に、該挿通孔５０ａを挟んで径方向に離間する位置に一対のネジ孔５０ｂ,５０ｂが形成されている(図４,図５,図１０参照)。これに対して前記下セット板１９の取付凹部３３には、図３に示す如く、小径軸部５０の挿通孔５０ａと対応する挿通孔３３ａが穿設されると共に、該挿通孔３３ａを挟んで径方向に離間する位置に一対のネジ用通孔３３ｂ,３３ｂが穿設されている。すなわち、前記支持部３８を取付凹部３３に前側から嵌挿した状態で、下セット板１９の裏側から各ネジ用通孔３３ｂに挿通したネジ５１を、前記支持部３８の通孔３８ａ内に臨む小径軸部５０の対応するネジ孔５０ｂに夫々螺挿することで、支軸部材４８が下セット板１９に対して回転不能に固定されるよう構成され、この状態で支軸部材４８に対して灰皿本体３４が回動可能となる。このように実施例では、前記支持部３８と支軸部材４８とで、前記灰皿本体３４を下セット板１９に取付けるための支持手段６２が構成されている。なお、小径軸部５０の後端には、図１０に示すように位置決めピン５０ｃが突設され、該位置決めピン５０ｃを取付凹部３３に形成した位置決め孔３３ｃに挿入することで、前記各ネジ用通孔３３ｂとネジ孔５０ｂとが整列状態で位置決めされるようになっている。
【００２５】
前記第１支持筒部４４および第２支持筒部４７の後端縁に、周方向に１８０°離間して第１切欠４４ｂと第２切欠４７ｄが形成されると共に、前記取付凹部３３には各切欠４４ｂ,４７ｄに嵌合可能な位置に突片３３ｄ,３３ｄが突設されている。そして、後述するように灰皿本体３４が使用位置および非使用位置に臨む状態で、第１切欠４４ｂおよび第２切欠４７ｄに突片３３ｄ,３３ｄが嵌合して、当該灰皿本体３４の回動を規制するよう構成されている。なお、灰皿本体３４を下セット板１９に対して引き出すことで、突片３３ｄ,３３ｄが第１切欠４４ｂおよび第２切欠４７ｄから離れ、該灰皿本体３４の回動が許容されるようになっている。
【００２６】
前記両支持筒部４４,４７における壁部４４ａ,４７ａの内側(前側)に、前記支軸部材４８における小径軸部５０の挿通を許容する内径に設定された薄板リング状のプレート５２が配設され、該プレート５２と支軸部材４８における大径円筒部４９の後端壁４９ａとの間に、複数(実施例では２つ)の弾性手段としての圧縮コイルバネ５３が弾力的に介挿されて、前記下セット板１９に固定されている支軸部材４８に対して灰皿本体３４を常には後方に向けて付勢するよう構成される。なお、図９において符号４９ｅは、後端壁４９ａに突設されて圧縮コイルバネ５３の一端部を支持する支持ピンを示す。前記支軸部材４８の大径円筒部４９における前端縁には、図２に示す如く、周方向に１８０°で離間して第１凹部４９ｂと第２凹部４９ｃとが形成されている。また前記第２支持筒材４７における前端部には、前記第１または第２凹部４９ｂ,４９ｃに嵌合可能な位置決め片４７ｂが内側に向けて突設されており、前記圧縮コイルバネ５３の弾力によって支軸部材４８に対して灰皿本体３４が後方に付勢されている状態で、第１または第２凹部４９ｂ,４９ｃに位置決め片４７ｂが嵌合するよう構成される。そして、圧縮コイルバネ５３,５３の弾力に抗して灰皿本体３４を下セット板１９に固定されている支軸部材４８に対して前側に引き出すことで、第１または第２凹部４９ｂ,４９ｃから位置決め片４７ｂが離脱して、灰皿本体３４の回動が許容されるようになっている。なお、第１凹部４９ｂと位置決め片４７ｂとが嵌合した状態で、灰皿本体３４は、前記灰受け部材３６の灰受け部３５が上側を向く使用位置(図４の状態)に位置決めされ、第２凹部４９ｃと位置決め片４７ｂとを嵌合した状態で、灰皿本体３４は、灰受け部３５が下側を向く非使用位置(図５の状態)に位置決めされるよう設定される。
【００２７】
前記大径円筒部４９の後端縁(後端壁４９ａの外周縁)には、図９に示す如く、周方向の略１８０°の範囲に亘って当接部４９ｄが突設されると共に、前記第２支持筒材４７の内周面には、前記位置決め片４７ｂと第１または第２凹部４９ｂ,４９ｃとの嵌合を解除するよう灰皿本体３４を支軸部材４８に対して前方に引き出した際に、前記当接部４９ｄにおける周方向の端(周端)Ａ,Ｂに当接可能な位置に突起部４７ｃが突設されている。すなわち、支軸部材４８に対して灰皿本体３４は、突起部４７ｃが当接部４９ｄの一方の周端Ａから他方の周端Ｂまでの間を移動する範囲で、回動が許容される、言い替えれば、灰皿本体３４の回動範囲は略１８０°に規制されている。なお、当接部４９ｄの一方の周端Ａに突起部４７ｃが当接した状態で、第１凹部４９ｂと位置決め片４７ｂとが前後に整列し、当接部４９ｄの他方の周端Ｂに突起部４７ｃが当接した状態で、第２凹部４９ｃと位置決め片４７ｂとが前後に整列するよう各部材の位置が設定してある。更に、前記当接部４９ｄは、灰皿本体３４の使用位置における正面視において右側半分(図９に示す裏側から視た場合では左側半分)に位置し、この状態から灰皿本体３４は前後方向の軸心回りに、反時計方向に１８０°回転することで突起部４７ｃが当接部４９ｄの他方の周端Ｂに当接して非使用位置となり、逆に非使用位置から時計方向に１８０°回転することで突起部４７ｃが当接部４９ｄの一方の周端Ａに当接して使用位置となるよう構成される。すなわち、実施例のパチンコ機１０では、該パチンコ機１０に対して正対している遊技者の左側、つまりパチンコ機１０の中央に対して左側に位置する灰皿本体３４の使用位置と非使用位置との間での回動は、前記灰受け部材３６の灰受け部３５が、常に遊技者とは反対側(パチンコ機中央から離間する側)を向く領域で行なわれるようにしてある。
【００２８】
(接触部材について)
前記第１カバー部材３７における取付面４２に対して着脱自在に配設される接触部としての接触部材５４は、その全体に金属メッキが施されて、操作者の接触を検出可能に設定されている。この接触部材５４の外形形状は、図５に示す如く、第１カバー部材３７に取付けた状態で、該第１カバー部材３７の外周面と段差なく臨むよう球面の一部をなす形状に形成されている。また接触部材５４の内面側には、図６に示すように一対の係合片５４ａ,５４ａが突設され、取付面４２の前記挿入口４２ｂから内側に挿入した両係合片５４ａ,５４ａが、第１カバー部材３７の内部に形成した被係合部３７ｃ,３７ｃに係脱自在に係合することで、当該接触部材５４が第１カバー部材３７に取付けられるようになっている。なお、接触部材５４の内面には、一対のピン５４ｂ,５４ｂが突設され(図２参照)、各ピン５４ｂを取付面４２に穿設した対応する位置決め孔４２ｃに挿通することで、接触部材５４の位置決めがなされるようにしてある。
【００２９】
(接触検出手段について)
前記接触部材５４の内面には、接触検出手段５５を組付け可能な複数の支持片６１ａおよびボス６１ｂからなる組付部６１が形成されており、該組付部６１に組付けた接触検出手段５５は、ネジ５６をボス６１ａのネジ孔に螺挿することで接触部材５４に固定されている。なお、接触検出手段５５における表面の一部に金属性の導通部が設けられ、該接触検出手段５５を接触部材５４にネジ止め固定することで該導通部がボス６１ａに接触して、当該接触部材５４と接触検出手段５５とが電気的に接続されるようになっている。すなわち、遊技者による接触部材５４への接触を、接触検出手段５５で検出し得るよう構成される。ちなみに、実施例の接触検出手段５５では、遊技者が接触部材５４に接触することで発生する静電容量等の電気的変化に基づいて接触を検出している。また、接触部材５４に取付けられた接触検出手段５５は、該接触部材５４を第１カバー部材３７に取付けた状態で、前記収納室３９に収納されると共に、前記灰受け部材３６に形成した火消し部４０と対向するよう設定される。この火消し部４０の収納室３９側の開口寸法は、前述したように接触検出手段５５の外径寸法より大きく設定されており、これによって接触検出手段５５は灰受け部材３６と接触しないよう構成される(図６,図８参照)。
【００３０】
前記接触検出手段５５から導出する配線５７およびコネクタ５７ａは、図６に示す如く、前記支軸部材４８の内部を通って、前記小径軸部５０および下セット板１９の挿通孔５０ａ,３３ａから中枠１２の裏側へ導出されるよう構成される。この配線５７は、前記中枠１２の裏側に設置されると共に前記図柄制御基板３０に接続されている中継基板(接続部)５８に、コネクタ５７ａを介して接続されており(接続パターン１)、接触検出手段５５からの信号に基づいて、前記図柄表示装置２４での図柄演出を可変し得るよう設定される(図１１参照)。例えば、図柄表示装置２４にデモ画面が表示されているとき(遊技待期中)に、選択画面を表示し、前記接触部材５４への接触(接触検出手段５５の検出信号)により画面に表示する背景やキャラクタを選択させるようにしたり、リーチになった際の分岐点で、何れのリーチ演出を行なうのかを、選択画面が表示している間に選択させるようにすることができる。
【００３１】
〔実施例の作用〕
次に、前述した実施例に係る遊技機の作用につき説明する。
【００３２】
図１に示す如く、前記灰皿２１を使用状態としているときには、前記支軸部材４８の第１凹部４９ｂに、灰皿本体３４の位置決め片４７ｂが嵌合し、該灰皿本体３４は、前記灰受け部材３６の灰受け部３５が上側を向く使用位置に位置決めされている。また前記両支持筒部４４,４７の切欠４４ｂ,４７ｄに、前記取付凹部３３の突片３３ｄ,３３ｄが嵌合し、これによっても灰皿本体３４は使用位置に位置決めされる。この状態では、遊技者は煙草の灰や吸殻を灰受け部３５に落としたり、あるいは煙草を前記火消し部４０でもみ消すことができる。この場合に、図６および図８に示すように、前記灰受け部材３６(灰受け部３５)の外底部と前記収納室３９に収納されている接触検出手段５５との間には、前記火消し部４０に内部画成された前記空間部Ｓが介在しているから、灰受け部材３６からの熱が接触検出手段５５に直に伝わることはなく、該接触検出手段５５が熱の影響により誤作動したり故障するのは好適に防止される。特に、煙草をもみ消す際に使用されることで高温となるおそれのある火消し部４０の上部と接触検出手段５５とは、空間部Ｓを介して大きく離間しているから、熱影響を好適に防ぐことができる。
【００３３】
また実施例では、前記空間部Ｓは、前記底壁３６ａに部分的に突設した火消し部４０を利用して設けてあるから、灰受け部材３６における底壁３６ａの全体を底上げすることで空間部Ｓを設ける場合に比べて、灰受け部３５の内容積が著しく小さくなるのを防止することができると共に、灰皿本体３４が大型化するのも抑制し得る。すなわち、接触検出手段５５を備えた灰皿２１をコンパクトに纏めて、配設スペースに制約のあるパチンコ機１０に余裕をもって配設することができる。
【００３４】
そして、遊技者は、前述したように図柄表示装置２４にデモ画面が表示されているとき、あるいはリーチになった際の分岐点で表示される選択画面の指示に従い、前記灰皿２１に設けられている接触部材５４に接触すると、これが接触検出手段５５により検出され、その信号が前記図柄制御基板３０に入力される。この場合に図柄制御基板３０では、その選択結果に応じて、デモ画面で表示する背景やキャラクタを変えたり、あるいはリーチ演出の種類を変える等の制御が行なわれる。
【００３５】
なお、前記灰皿本体３４を使用位置に位置決めした灰皿２１では、前述したように、前記支軸部材４８の第１凹部４９ｂに灰皿本体３４の位置決め片４７ｂが嵌合すると共に、前記両支持筒部４４,４７の切欠４４ｂ,４７ｄに前記取付凹部３３の突片３３ｄ,３３ｄが嵌合して、該灰皿本体３４の回動は規制されているから、遊技者が灰皿本体３４に接触したり、あるいは前記下球皿１８から排出されるパチンコ球を受容する球容器が接触したとしても、該灰皿本体３４が簡単に回転して吸殻や灰が飛散することはない。
【００３６】
次に、前記灰皿２１を使用しないようにする場合は、前記灰皿本体３４を、前記圧縮コイルバネ５３,５３の弾力に抗して前側に引き出し、前記支軸部材４８の第１凹部４９ｂに対する位置決め片４７ｂの嵌合および前記取付凹部３３の突片３３ｄ,３３ｄに対する前記両支持筒部４４,４７の切欠４４ｂ,４７ｄの嵌合を解除する。この状態で灰皿本体３４を反時計方向に回転することで、前記灰受け部材３６の灰受け部３５が遊技者とは反対側を向きつつ下側に移動し、前記突起部４７ｃが前記当接部４９ｄの他方の周端Ｂに当接することで回転が規制される。この状態で灰皿本体３４から手を離すと、該灰皿本体３４は圧縮コイルバネ５３,５３の弾力によって後側に引っ込み、前記第２凹部４９ｃに位置決め片４７ｂが嵌合すると共に、前記取付凹部３３の突片３３ｄ,３３ｄに前記両支持筒部４４,４７の切欠４４ｂ,４７ｄが嵌合して、当該灰皿本体３４は灰受け部３５が下側を向く非使用位置に位置決め保持される。なお、使用位置から灰皿本体３４を時計方向に回転しようとしても、前記突起部４７ｃが前記当接部４９ｄの一方の周端Ａに当接して回転は規制されるから、前記灰受け部３５が遊技者を向くおそれはない。また、非使用位置においては、前記接触部材５４が上側を向くから(図５参照)、遊技者の接触部材５４への接触が容易となる。
【００３７】
このように、前記灰皿本体３４は、使用位置にある灰皿本体３４を反転させる際に、前記灰受け部３５は遊技者とは反対側を向く一方向にのみ回転するから、例えば営業時間内において灰皿本体３４を反転させて清掃する場合であっても、吸殻や灰が遊技者側に飛散するのは防止される。なお、灰皿本体３４を非使用位置から使用位置に反転する場合は、前述した使用位置から非使用位置への操作と同様に、該灰皿本体３４を引き出してから時計方向に回転させればよい。
【００３８】
前記収納室３９に収納されている接触検出手段５５から中枠１２裏側に導出する配線５７は、前記灰皿本体３４の回動中心に位置する挿通孔５０ａ,３３ａに挿通されているから、灰皿本体３４の回転時に該配線５７が絡まったり断線するのを抑制することができる。また灰皿本体３４は、前記当接部４９ｄおよび突起部４７ｃにより１８０°より大きく回転しないように構成されているから、該灰皿本体３４の回動範囲は一定範囲に限定することができ、前記配線５７のよじれ等を制限して断線を確実に防止し得る。なお、灰皿２１に配設した接触検出手段５５の配線５７は、コネクタ５７ａを介して前記中継基板５８に着脱自在に接続されるよう構成されているから、該コネクタ５７ａを中継基板５８から取外した状態で、当該灰皿２１をユニット化して単独で取扱うことができる。
【００３９】
〔変更例〕
本考案に係る遊技機としては、前述した実施例のものに限られるものではなく、種々の変更が可能である。
【００４０】
実施例では、前記接触検出手段５５を図柄制御基板３０に接続して、該検出手段５５の検出信号を、図柄演出等の選択に用いる場合で説明したが、接触検出手段５５を主制御基基２９、音声制御基板３１あるいは発光制御基板３２の何れかに接続してもよい(図１１の二点鎖線参照)。例えば、主制御基板２９に接続した場合(接続パターン２)は、遊技者が接触部材５４に接触することで、前記図柄表示装置２４で可変表示されている図柄を瞬時に停止させ得るよう構成し、遊技者参加型の遊技演出を行ない得るようにすることができる。また音声制御基板３１に接続した場合(接続パターン３)は、大当りやリーチになる場合等、所定の条件を満たしたときに遊技者が接触部材５４に接触することで、図柄表示装置２４での図柄停止前に、前記スピーカ２２,２２から各種の音声を出力させる構成とし得る。更に発光制御基板３２に接続した場合(接続パターン４)は、大当りやリーチになる場合等、所定の条件を満たしたときに遊技者が接触部材５４に接触することで、図柄表示装置２４での図柄停止前に、前記電飾装置２８,２８を点灯させたり点滅させる演出を行なわせる構成とし得る。
【００４１】
実施例では、接触部としての接触部材５４を第１カバー部材３７の底部に配設した場合で説明したが、図１２に示すように、前記灰受け部材３６における後係合部３６ｅを含む後壁３６ｃおよび第１カバー部材３７の延出部３７ｂの一部に金属メッキを施し、両メッキ部(斜線を付した部分)５９,６０を相互に接触させると共に、第１カバー部材３７のメッキ部６０を接触部材５４に接触させて、両メッキ部５９,６０および接触部材５４を電気的に接続する構成を採用し得る。この場合は、後壁３６ｃおよび第１カバー部材３７のメッキ部５９,６０に遊技者が接触することでも、前記接触検出手段５５が検出できる。すなわち、図１２に示す変更例では、後壁３６ｃおよび第１カバー部材３７のメッキ部５９,６０も、接触部として機能する。なお、前記メッキ部５９,６０に相当する部分に、金属製のリングを嵌合する構成を採用することもできる。
【００４２】
実施例では、接触部材を灰皿本体とは別体で構成した場合で説明したが、灰皿本体の所要位置に接触部材(接触部)を一体的に設け、該接触部材に接触検出手段を電気的に接続するよう構成してもよい。また実施例では、接触検出手段を収納室内に組付けるための組付部を接触部材に設けたが、該組付部を灰皿本体、例えばカバー部材や灰受け部材等に設ける構成を採用し得る。
【００４３】
実施例では、灰受け部材と第１カバー部材とを別体として構成した場合で説明したが、両者を一体に形成してもよい。また実施例では、第１カバー部材と第２カバー部材とを別体としたが、第１カバー部材に第２カバー部材を一体に形成したものであってもよく、更には灰受け部材と第１カバー部材および第２カバー部材を一体に形成した構成を採用し得る。
【００４４】
実施例では、空間部(熱遮断部)を設けるための凸状部を、煙草をもみ消すために利用される火消し部とした場合で説明したが、該凸状部は火消し部である必要はなく、灰受け部の底部に意匠的に形成されるものであってもよい。また凸状部の形状に関しては、実施例の形状に限定されるものでなく、収納室とは反対側に突出するものであれば、台形や弧状等、その他各種の形状を採用することができる。更に、凸状部の形成位置や範囲に関しても、実施例に限定されず、接触検出手段の収納位置に対応していればよい。なお、空間部における収納室側の開口寸法は、接触検出手段の外形寸法と略同等であればよいが、それより大きいことがより好ましい。
【００４５】
実施例では、火消し部に内部画成した空間部を熱遮断部とした場合で説明したが、火消し部の内部空間にグラスウールやガラス発泡剤、その他の耐熱性を有する断熱材を充填して熱遮断部としてもよい。あるいは、灰受け部材における底壁の外底面に熱遮断部として機能する断熱材を貼付け、該断熱材を介して底壁と接触検出手段とを対向させる構成を採用し得る。
【００４６】
実施例では、パチンコ機の左側に灰皿を配設したが、右側に灰皿を配設するものであってもよく、この場合における灰受け部材の回動は、実施例とは対称で、使用位置から時計方向に１８０°回動し、非使用位置から反時計方向に１８０°回動するよう設定される。また実施例では、下セット板に固定した支軸部材(支軸部)に対して支持部を回動可能に外嵌した場合で説明したが、下セット板に固定した支持部に対し、灰受け部材と第１カバー部材とを備える支軸部材を回動可能に内挿したものであってもよく、支軸部材(支軸部)と支持部とが相対的に回動可能になっていればよい。更に実施例では、遊技機としてパチンコ機を採用したが、アレンジボール機やスロットマシン機等であってもよい。
【図面の簡単な説明】
【００４７】
【図１】実施例に係るパチンコ機の正面図である。
【図２】実施例に係る灰皿を分解状態で示す斜視図である。
【図３】実施例に係る灰皿を取外した下セット板を示す正面図である。
【図４】実施例に係る灰皿を使用位置とした状態で後方から視た斜視図である。
【図５】実施例に係る灰皿を非使用位置とした状態で後方から視た斜視図である。
【図６】実施例に係る下セット板に配設した灰皿を使用位置とした状態で示す縦断側面図である。
【図７】実施例に係る下セット板に配設した灰皿を使用位置から９０°回転した状態で示す縦断側面図である。
【図８】実施例に係る灰皿を示す縦断正面図である。
【図９】実施例に係る灰皿を示す縦断背面図である。
【図１０】実施例に係る支軸部材を背面から示す斜視図である。
【図１１】実施例に係るパチンコ機の各制御基板と接触検出手段との関係を示すブロック図である。
【図１２】変更例に係る灰皿の側面図である。
【符号の説明】
【００４８】
１９ 下セット板(機枠体)，２１ 灰皿，３４ 灰皿本体(本体)，３５ 灰受け部
３７ａ カバー部，３８ 支持部，３９ 収納室，４７ａ 突起部
４８ 支軸部材(支軸部)，４９ｄ 当接部，５０ａ 挿通孔，５４ 接触部材(接触部)
５５ 接触検出手段，５７ 配線，５７ａ コネクタ(被接続部)
５８ 中継基板(接続部)，６２ 支持手段
【図１】
0003104164.tif 000003
【図２】
0003104164.tif 000004
【図３】
0003104164.tif 000005
【図４】
0003104164.tif 000006
【図５】
0003104164.tif 000007
【図６】
0003104164.tif 000008
【図７】
0003104164.tif 000009
【図８】
0003104164.tif 000010
【図９】
0003104164.tif 000011
【図１０】
0003104164.tif 000012
【図１１】
0003104164.tif 000013
【図１２】
0003104164.tif 000014